(57)【要約】【課題】従来よりも、映像を表示する際の消費電力を低減する。【解決手段】映像表示装置１は、人物までの距離を検出するセンサ１０と、センサ１０によって検出された距離が第１閾値よりも大きい場合において、複数の画素からなる入力画像が入力されるときに、当該入力画像から一部の画素を間引くことで画像サイズをダウンスケーリングして、ダウンスケーリング画像を生成するダウンスケーラ２０と、ダウンスケーラ２０によって生成されたダウンスケーリング画像に基づく画像に対して、画像サイズをスケーリングしてスケーリング画像を生成するスケーラ４０と、スケーラ４０によって生成されたスケーリング画像に基づく画像を表示する表示部６０とを備える。【選択図】図１
2018156049.tif 000002
【特許請求の範囲】
【請求項１】
人物までの距離を検出するセンサと、
前記センサによって検出された距離が第１閾値よりも大きい場合において、複数の画素からなる入力画像が入力されるときに、当該入力画像から一部の画素を間引くことで画像サイズをダウンスケーリングして、ダウンスケーリング画像を生成するダウンスケーラと、
前記ダウンスケーラによって生成されたダウンスケーリング画像に基づく画像に対して、画像サイズをスケーリングしてスケーリング画像を生成するスケーラと、
前記スケーラによって生成されたスケーリング画像に基づく画像を表示する表示部とを備える
映像表示装置。
【請求項２】
前記スケーリング画像は、前記ダウンスケーリング画像よりも画像サイズが大きく、
前記スケーラは、スケーリングの対象とする画像に対して１以上の画素を補間することで、前記スケーリング画像の生成を行う
請求項１に記載の映像表示装置。
【請求項３】
前記スケーラは、生成するスケーリング画像が、前記表示部で表示可能な画像サイズとなるように、前記スケーリング画像の生成を行う
請求項１又は２に記載の映像表示装置。
【請求項４】
前記ダウンスケーラは、前記間引きを行う場合には、前記センサによって検出された距離に応じて、当該距離が大きい程、間引きする画素数が多くなるように、前記間引きを行う
請求項１〜３のいずれか１項に記載の映像表示装置。
【請求項５】
さらに、前記ダウンスケーラによって生成されたダウンスケーリング画像に対して、処理対象とする画像をメモリに書き込む処理を含む第１処理を行うことで、第１画像を生成する第１処理部を備え、
前記スケーラは、前記スケーリング画像の生成を、前記第１処理部によって生成された第１画像に対して行う
請求項１〜４のいずれか１項に記載の映像表示装置。
【請求項６】
さらに、前記センサによって検出された距離が第２閾値よりも小さい場合に、前記スケーラによって生成されたスケーリング画像に対して、各画素の輝度を低下させた輝度調整画像を生成する輝度制御部を備え、
前記表示部は、前記センサによって検出された距離が第２閾値よりも小さい場合には、前記表示を、前記輝度制御部によって生成された輝度調整画像に基づく画像を表示することで行う
請求項１〜５のいずれか１項に記載の映像表示装置。
【請求項７】
センサと、ダウンスケーラと、スケーラと、表示部とを備える映像表示装置が行う映像表示方法であって、
前記センサが、人物までの距離を検出する検出ステップと、
前記ダウンスケーラが、前記センサによって検出された距離が第１閾値よりも大きい場合において、複数の画素からなる入力画像が入力されるときに、当該入力画像から一部の画素を間引くことで画像サイズをダウンスケーリングして、ダウンスケーリング画像を生成するダウンスケーリングステップと、
前記スケーラが、前記ダウンスケーリングステップによって生成されたダウンスケーリング画像に基づく画像に対して、画像サイズをスケーリングしてスケーリング画像を生成するスケーリングステップと、
前記表示部が、前記スケーラステップによって生成されたスケーリング画像に基づく画像を表示する表示ステップとを含む
映像表示方法。
【発明の詳細な説明】
【技術分野】
【０００１】
本開示は、映像を表示する映像表示装置、及び映像表示方法に関する。
【背景技術】
【０００２】
従来、画像、又は複数の画像からなる映像を表示する表示装置が知られている（例えば、特許文献１参照）。
【先行技術文献】
【特許文献】
【０００３】
【特許文献１】特開２０１６−１２６２３４号公報
【発明の概要】
【発明が解決しようとする課題】
【０００４】
映像表示装置には、映像を表示する際の消費電力を低減することが望まれる。
【０００５】
そこで、本発明は、従来よりも、映像を表示する際の消費電力を低減し得る映像表示装置、及び映像表示方法を提供することを目的とする。
【課題を解決するための手段】
【０００６】
本開示における映像表示装置は、人物までの距離を検出するセンサと、前記センサによって検出された距離が第１閾値よりも大きい場合において、複数の画素からなる入力画像が入力されるときに、当該入力画像から一部の画素を間引くことで画像サイズをダウンスケーリングして、ダウンスケーリング画像を生成するダウンスケーラと、前記ダウンスケーラによって生成されたダウンスケーリング画像に基づく画像に対して、画像サイズをスケーリングしてスケーリング画像を生成するスケーラと、前記スケーラによって生成されたスケーリング画像に基づく画像を表示する表示部とを備える。
【０００７】
また、本開示における映像表示方法は、センサと、ダウンスケーラと、スケーラと、表示部とを備える映像表示装置が行う映像表示方法であって、前記センサが、人物までの距離を検出する検出ステップと、前記ダウンスケーラが、前記センサによって検出された距離が第１閾値よりも大きい場合において、複数の画素からなる入力画像が入力されるときに、当該入力画像から一部の画素を間引くことで画像サイズをダウンスケーリングして、ダウンスケーリング画像を生成するダウンスケーリングステップと、前記スケーラが、前記ダウンスケーリングステップによって生成されたダウンスケーリング画像に基づく画像に対して、画像サイズをスケーリングしてスケーリング画像を生成するスケーリングステップと、前記表示部が、前記スケーラステップによって生成されたスケーリング画像に基づく画像を表示する表示ステップとを含む。
【発明の効果】
【０００８】
本開示における映像表示装置、及び映像表示方法によれば、従来よりも、映像を表示する際の消費電力を低減し得る。
【図面の簡単な説明】
【０００９】
【図１】図１は、実施の形態に係る映像表示装置の構成を示すブロック図である。
【図２】図２は、センサによって検出された距離と、ダウンスケーラによる間引き量との関係の一例を示す図である。
【図３】図３は、ダウンスケーリング画像の画像サイズとスケーリング画像の画像サイズとの関係を図示した模式図である。
【図４】図４は、実施の形態に係る映像表示処理の一例を示すフローチャートである。
【図５】図５は、センサによって検出された距離と、ダウンスケーラによる間引き量との関係の他の一例を示す図である。
【発明を実施するための形態】
【００１０】
実施の形態の一態様に係る映像表示装置は、人物までの距離を検出するセンサと、前記センサによって検出された距離が第１閾値よりも大きい場合において、複数の画素からなる入力画像が入力されるときに、当該入力画像から一部の画素を間引くことで画像サイズをダウンスケーリングして、ダウンスケーリング画像を生成するダウンスケーラと、前記ダウンスケーラによって生成されたダウンスケーリング画像に基づく画像に対して、画像サイズをスケーリングしてスケーリング画像を生成するスケーラと、前記スケーラによって生成されたスケーリング画像に基づく画像を表示する表示部とを備える。
【００１１】
一般に、スケーラによるスケーリングの処理では、スケーリング対象となる画像の各画素をメモリへ書き込む処理が行われる。このため、スケーリング対象となる画像の画素数が少ない程、このメモリへの書き込む処理の消費電力は少なくなる。
【００１２】
上記映像表示装置では、センサによって検出された距離が第１閾値よりも大きい場合に、スケーラは、ダウンスケーラによって画素が間引かれたダウンスケーリング画像を、そのスケーリング対象の画像とする。
【００１３】
このため、上記映像表示装置によると、従来よりも、映像を表示する際の消費電力を低減し得る。
【００１４】
例えば、前記スケーリング画像は、前記ダウンスケーリング画像よりも画像サイズが大きく、前記スケーラは、スケーリングの対象とする画像に対して１以上の画素を補間することで、前記スケーリング画像の生成を行うとしてもよい。
【００１５】
これにより、ダウンスケーリング画像よりも大きい画像を、表示対象の画像とすることができるようになる。
【００１６】
例えば、前記スケーラは、生成するスケーリング画像が、前記表示部で表示可能な画像サイズとなるように、前記スケーリング画像の生成を行うとしてもよい。
【００１７】
これにより、スケーリング画像を、画像サイズを変更することなく表示することができるようになる。
【００１８】
例えば、前記ダウンスケーラは、前記間引きを行う場合には、前記センサによって検出された距離に応じて、当該距離が大きい程、間引きする画素数が多くなるように、前記間引きを行うとしてもよい。
【００１９】
これにより、人物までの距離が大きい程、より消費電力を低減し得るようになる。
【００２０】
例えば、さらに、前記ダウンスケーラによって生成されたダウンスケーリング画像に対して、処理対象とする画像をメモリに書き込む処理を含む第１処理を行うことで、第１画像を生成する第１処理部を備え、前記スケーラは、前記スケーリング画像の生成を、前記第１処理部によって生成された第１画像に対して行うとしてもよい。
【００２１】
これにより、第１処理におけるメモリへの書き込み処理を、消費電力の低減対象に含めることができるようになる。
【００２２】
例えば、さらに、前記センサによって検出された距離が第２閾値よりも小さい場合に、前記スケーラによって生成されたスケーリング画像に対して、各画素の輝度を低下させた輝度調整画像を生成する輝度制御部を備え、前記表示部は、前記センサによって検出された距離が第２閾値よりも小さい場合には、前記表示を、前記輝度制御部によって生成された輝度調整画像に基づく画像を表示することで行うとしてもよい。
【００２３】
これにより、消費電力をさらに低減し得るようになる。
【００２４】
実施の形態の一態様に係る映像表示方法は、センサと、ダウンスケーラと、スケーラと、表示部とを備える映像表示装置が行う映像表示方法であって、前記センサが、人物までの距離を検出する検出ステップと、前記ダウンスケーラが、前記センサによって検出された距離が第１閾値よりも大きい場合において、複数の画素からなる入力画像が入力されるときに、当該入力画像から一部の画素を間引くことで画像サイズをダウンスケーリングして、ダウンスケーリング画像を生成するダウンスケーリングステップと、前記スケーラが、前記ダウンスケーリングステップによって生成されたダウンスケーリング画像に基づく画像に対して、画像サイズをスケーリングしてスケーリング画像を生成するスケーリングステップと、前記表示部が、前記スケーラステップによって生成されたスケーリング画像に基づく画像を表示する表示ステップとを含む。
【００２５】
一般に、スケーラによるスケーリングの処理では、スケーリング対象となる画像の各画素をメモリへ書き込む処理が行われる。このメモリへの書き込み処理において、スケーリング対象となる画像の画素数が少ない程、その消費電力は少なくなる。
【００２６】
上記映像表示方法では、センサによって検出された距離が第１閾値よりも大きい場合に、スケーラは、ダウンスケーラによって画素が間引かれたダウンスケーリング画像を、そのスケーリング対象の画像とする。
【００２７】
このため、上記映像表示方法によると、従来よりも、映像を表示する際の消費電力を低減し得る。
【００２８】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００２９】
以下、本開示の一態様に係る映像表示装置の具体例について説明する。なお、以下で説明する実施の形態は、いずれも本開示の好ましい一具体例を示すものである。以下の実施の形態で示される数値、形状、材料、構成要素、構成要素の配置位置及び接続形態、ステップ、ステップの順序などは、一例であり、本開示を限定する主旨ではない。本開示は、特許請求の範囲だけによって限定される。よって、以下の実施の形態における構成要素のうち、本開示の最上位概念を示す独立請求項に記載されていない構成要素については、本開示の課題を達成するのに必ずしも必要ではないが、より好ましい形態を構成するものとして説明される。
【００３０】
（実施の形態）
ここでは、本開示の一態様として、複数の画像からなる映像を表示する映像表示装置１について説明する。
【００３１】
［１．  構成］
図１は、実施の形態に係る映像表示装置１の構成を示すブロック図である。
【００３２】
同図に示されるように、映像表示装置１は、センサ１０と、ダウンスケーラ２０と、第１処理部３０と、スケーラ４０と、輝度制御部５０と、表示部６０とを含んで構成される。
【００３３】
センサ１０は、映像表示装置１を利用するユーザ（人物）までの距離を検出する。センサ１０は、例えば、赤外線ＴＯＦ（Time Of Flight）方式による測距センサによって実現される。
【００３４】
ダウンスケーラ２０は、センサ１０によって検出された距離が第１閾値（例えば、３ｍ）よりも大きい場合において、複数の画素からなる入力画像が入力されるときに、当該入力画像から一部の画素を間引くことで画像サイズをダウンスケーリングして、ダウンスケーリング画像を生成する。一方で、ダウンスケーラ２０は、センサ１０によって検出された距離が第１閾値（例えば、３ｍ）以下の場合において、複数の画素からなる入力画像が入力されるときには、当該入力画像から画素を間引かない。この場合には、生成するダウンスケーリング画像は、入力画像そのものとなる。
【００３５】
ここで、ダウンスケーラに入力される入力画像の具体例としては、例えば、ＲＧＢ形式の画像、ＹＵＶ形式の画像等である。
【００３６】
また、ダウンスケーラ２０は、入力画像の画像解像度を検出する。
【００３７】
ダウンスケーラ２０は、例えば、専用ハードウエア回路からなる半導体集積回路が、図示されていないプロセッサによって制御されることで実現される。
【００３８】
図２は、センサ１０によって検出された距離と、ダウンスケーラ２０による間引き量との関係の一例を示す図である。
【００３９】
同図に示されるように、この例において、ダウンスケーラ２０は、センサ１０によって検出された距離が第１閾値（３ｍ）以下の場合（ｃａｓｅ１）には、入力画像（ここでは、３８４０×２１６０画素からなる４Ｋ画像）に対し間引きを行わずに、そのままダウンスケーリング画像として出力する。これに対して、センサ１０によって検出された距離が第１閾値（３ｍ）より大きい場合（ｃａｓｅ２）には、入力画像に対して、縦方向の画素数が１／２、横方向の画素数が１／２となるように画素の間引きを行って、画素数が１／４となるダウンスケーリング画像（ここでは、１９２０×１０８０画素からなるＦＨＤ（Full High Definition）画像）を生成して出力する。
【００４０】
このように、ダウンスケーラ２０は、間引きを行う場合には、センサ１０によって検出された距離に応じて、当該距離が大きい程、間引きする画素数が多くなるように、間引きを行う。
【００４１】
再び図１に戻って、映像表示装置１の説明を続ける。
【００４２】
第１処理部３０は、ダウンスケーラ２０によって生成されたダウンスケーリング画像に対して、処理対象とする画像をメモリに書き込む処理を含む第１処理を行うことで、第１画像を生成する。
【００４３】
ここで、第1処理の具体例としては、例えば、ＩＰ（Interlace Progressive）変換処理、ノイズ除去処理等である。画像を書き込むメモリの具体例としては、例えば、外部のＤＲＡＭ（例えば、ＤＤＲ−ＳＤＲＡＭ）等である。
【００４４】
ここで、画像をメモリに書き込む処理における消費電力は、その画像の画素数が少ない程小さくなる。このため、ダウンスケーラ２０によって画素の間引きが行われた場合の方が、画素の間引きが行われなかった場合よりも、第１処理における、画像をメモリに書き込む処理における消費電力が小さくなる。
【００４５】
第１処理部３０は、例えば、専用ハードウエア回路からなる半導体集積回路が、図示されていないプロセッサによって制御されることで実現される。
【００４６】
スケーラ４０は、ダウンスケーラ２０によって生成されたダウンスケーリング画像に基づく画像（ここでは、第1画像）に対して、画像サイズをスケーリングしてスケーリング画像を生成する。スケーラ４０は、スケーリング画像の方が、ダウンスケーリング画像よりも画像サイズが大きい場合には、スケーリングの対象とする画像に対して１以上の画素を補間（例えば、線形補間）することで、上記スケーリング画像の生成を行う。また、スケーラ４０は、生成するスケーリング画像が、表示部６０で表示可能な画像サイズとなるように、上記スケーリング画像の生成を行う。
【００４７】
スケーラ４０によるスケーリングの処理では、スケーリング対象となる画像の各画素をメモリへ書き込む処理が行われる。
【００４８】
ここで、画像を書き込むメモリの具体例としては、例えば、外部のＤＲＡＭ（例えば、ＤＤＲ−ＳＤＲＡＭ）等である。
【００４９】
ここで、画像をメモリに書き込む処理における消費電力は、その画像の画素数が少ない程小さくなる。このため、ダウンスケーラ２０によって画素の間引きが行われた場合の方が、画素の間引きが行われなかった場合よりも、スケーリングの処理における、画像をメモリに書き込む処理における消費電力が小さくなる。
【００５０】
スケーラ４０は、例えば、専用ハードウエア回路からなる半導体集積回路が、図示されていないプロセッサによって制御されることで実現される。
【００５１】
輝度制御部５０は、センサ１０によって検出された距離が第２閾値（例えば、５ｍ）よりも小さい場合に、スケーラ４０によって生成されたスケーリング画像に対して、各画素の輝度を低下させた輝度調整画像を生成する。一方で、輝度制御部５０は、センサ１０によって検出された距離が第２閾値（例えば、５ｍ）よりも小さくない場合に、スケーラ４０によって生成されたスケーリング画像に対して、各画素の輝度を低下させない。この場合には、生成する輝度調整画像は、スケーリング画像そのものとなる。
【００５２】
また、輝度制御部５０は、さらに、エッジ処理（エッジをより際立たせる処理）、ガンマ補正処理等を行うとしてもよい。
【００５３】
輝度制御部５０は、例えば、図示されていないプロセッサが、図示されていないメモリに記憶されるプログラムを実行することで実現される。
【００５４】
表示部６０は、スケーラ４０によって生成されたスケーリング画像に基づく画像（ここでは、輝度調整画像）を表示する。
【００５５】
表示部６０は、例えば、液晶ディスプレイによって実現される。ここでは、例えば、３８４０×２１６０画素からなる４Ｋ画像を表示する５０インチ型の液晶ディスプレイであるとして説明する。
【００５６】
図３は、図２のｃａｓｅ２の場合を例として、ダウンスケーラ２０によって生成されるダウンスケーリング画像の画像サイズと、スケーラ４０によって生成されるスケーリング画像の画像サイズとの関係を図示した模式図である。
【００５７】
同図に示されるように、図２のｃａｓｅ２の場合には、ダウンスケーラ２０は、３８４０×２１６０画素からなる４Ｋサイズの入力画像に対して、縦方向の画素数が１／２、横方向の画素数が１／２となるように画素の間引きを行って、１９２０×１０８０画素からなるＦＨＤサイズのダウンスケーリング画像を生成する。
【００５８】
そして、スケーラ４０は、表示部６０で表示可能な画像サイズである、３８４０×２１６０画素からなる４Ｋサイズのスケーリング画像を生成する。すなわち、スケーラ４０は、スケーリング対象の１９２０×１０８０の画素からなるＦＨＤサイズの第１画像に対して、縦方向の画素数が２倍、横方向の画素数が２倍となるように画素を線形補間することで、３８４０×２１６０画素からなる４Ｋサイズのスケーリング画像を生成する。
【００５９】
［２．  動作］
以下、上記構成の映像表示装置１の動作について説明する。
【００６０】
映像表示装置１は、その特徴的な動作として、映像表示処理を行う。
【００６１】
映像表示処理は、センサ１０によって検出される、映像表示装置１を利用するユーザ（人物）までの距離に応じて、ダウンスケーラ２０が行うダウンスケーリング画像の生成における、画素の間引き量を変化させる処理である。
【００６２】
以下、この映像表示処理の一例について、図面を参照しながら説明する。
【００６３】
図４は、映像表示処理の一例を示すフローチャートである。
【００６４】
映像表示処理は、映像表示装置１が起動されることで開始される。
【００６５】
映像表示装置１が起動されると、映像表示装置１は、輝度制御部５０を初期化する（ステップＳ１）。輝度制御部５０が初期化された状態とは、例えば、入力されるスケーリング画像に対して、各画素の輝度を低下させずに、スケーリング画像そのものを、生成する輝度調整画像とする状態である。
【００６６】
輝度制御部５０の初期化後において、ダウンスケーラ２０へ映像信号の入力が開始されると、ダウンスケーラ２０は、その映像信号を構成する画像（入力画像）の解像度を検出する（ステップＳ２）。ここでは、入力画像の具体例として、例えば、１９２０×１０８０画素からなるＦＨＤサイズの画像であるとして説明するが、入力画像の解像度は、この例に限定される必要はない。
【００６７】
入力画像の解像度が検出されると、映像表示装置１は、ダウンスケーラ２０とスケーラ４０とを初期化する（ステップＳ３）。
【００６８】
入力画像の解像度が、１９２０×１０８０画素からなるＦＨＤサイズの画像である場合における、ダウンスケーラ２０が初期化された状態とは、例えば、入力画像に対して間引きを行わずに、入力画像そのものを、生成するダウンスケーリング画像とする状態である。
【００６９】
入力画像の解像度が、１９２０×１０８０画素からなるＦＨＤサイズの画像である場合における、スケーラ４０が初期化された状態とは、例えば、１９２０×１０８０画素からなるＦＨＤサイズの第１画像に対して、縦方向の画素数が２倍、横方向の画素数が２倍となるように画素を線形補間することで、３８４０×２１６０画素からなる４Ｋサイズのスケーリング画像を生成する状態である。
【００７０】
ダウンスケーラ２０とスケーラ４０とが初期化されると、センサ１０は、映像表示装置１を利用するユーザ（人物）までの距離ｄを検出する（ステップＳ４）。そして、ダウンスケーラ２０は、その距離ｄが第１閾値（例えば、３ｍ）よりも大きいか否かを判定する（ステップＳ５）。
【００７１】
ステップＳ５の処理において、距離ｄが第１閾値よりも大きいと判定される場合に（ステップＳ５：Ｙｅｓ）、ダウンスケーラ２０は、１９２０×１０８０画素からなるＦＨＤサイズの入力画像に対して、縦方向の画素数が１／２、横方向の画素数が１／２となるように画素の間引きを行って（ステップＳ６）、９６０×５４０画素からなるサイズのダウンスケーリング画像を生成する。
【００７２】
ダウンスケーリング画像が生成されると、第１処理部３０は、ダウンスケーリング画像に対して第１処理を行うことで、９６０×５４０画素からなる第１画像を生成する。
【００７３】
第１画像が生成されると、スケーラ４０は、９６０×５４０画素からなる第１画像に対して、縦方向の画素数が４倍、横方向の画素数が４倍となるように画素を線形補間することで、３８４０×２１６０画素からなる４Ｋサイズのスケーリング画像を生成する（ステップＳ７）。
【００７４】
ステップＳ５の処理において、距離ｄが第１閾値よりも大きいと判定されない場合に（ステップＳ５：Ｎｏ）、ダウンスケーラ２０は、入力画像に対して、初期化された状態における処理を行う。すなわち、ダウンスケーラ２０は、１９２０×１０８０画素からなるＦＨＤサイズの入力画像に対して間引きを行わずに（ステップＳ８）、入力画像そのものを、生成するダウンスケーリング画像とする。
【００７５】
ダウンスケーリング画像が生成されると、第１処理部３０は、ダウンスケーリング画像に対して第１処理を行うことで、１９２０×１０８０画素からなる第１画像を生成する。
【００７６】
第１画像が生成されると、スケーラ４０は、第１画像に対して、初期化された状態における処理を行う。すなわち、スケーラ４０は、１９２０×１０８０画素からなる第１画像に対して、縦方向の画素数が２倍、横方向の画素数が２倍となるように画素を線形補間することで、３８４０×２１６０画素からなる４Ｋサイズのスケーリング画像を生成する（ステップＳ９）。
【００７７】
ステップ７の処理が終了した場合、及びステップ９の処理が終了した場合に、輝度制御部５０は、距離ｄが第２閾値（例えば、５ｍ）よりも小さいか否かを判定する（ステップＳ１０）。
【００７８】
ステップＳ１０の処理において、距離ｄが第２閾値よりも小さいと判定される場合に（ステップＳ１０：Ｙｅｓ）、輝度制御部５０は、スケーリング画像に対して、各画素の輝度を低下させて（ステップＳ１１）、輝度調整画像を生成する。
【００７９】
ステップＳ１０の処理において、距離ｄが第２閾値よりも小さいと判定されない場合に（ステップＳ１０；Ｎｏ）、輝度制御部５０は、スケーリング画像に対して、初期化された状態における処理を行う。すなわち、輝度制御部５０は、スケーリング画像に対して、各画素の輝度を低下させずに（ステップＳ１２）、スケーリング画像そのものを、生成する輝度調整画像とする。
【００８０】
ステップＳ１１の処理が終了した場合、及びステップＳ１２の処理が終了した場合に、表示部６０は、生成された輝度調整画像を表示する（ステップＳ１３）。そして、ダウンスケーラ２０は、次の入力画像が入力されるまで待つ（ステップＳ１４：Ｎｏを繰り返す）。その後、次の入力画像が入力されると（ステップＳ１４：Ｙｅｓ）、ダウンスケーラ２０は、その入力画像が、前回入力された入力画像から、解像度が変化しているか否かを判定する（ステップＳ１５）。
【００８１】
ステップＳ１５の処理において、解像度が変化していると判定された場合に（ステップＳ１５：Ｙｅｓ）、映像表示装置１は、再びステップＳ３の処理に進んで、ステップＳ３以降の処理を繰り返す。
【００８２】
ステップＳ１５の処理において、解像度が変化していると判定されなかった場合に（ステップＳ１５：Ｎｏ）、映像表示装置１は、再びステップＳ４の処理に進んで、ステップＳ４以降の処理を繰り返す。
【００８３】
［３．効果等］
上述したように、スケーラ４０によるスケーリングの処理では、スケーリング対象となる画像の各画素をメモリへ書き込む処理が行われる。このため、スケーリング対象となる画像の画素数が少ない程、このメモリへの書き込み処理の消費電力は少なくなる。
【００８４】
上記映像表示装置１では、映像表示装置１を利用するユーザまでの距離が第１閾値よりも大きい場合に、ダウンスケーラ２０は、入力画像を間引いて、スケーラ４０によるスケーリング対象となる画像の画素数を削減する。
【００８５】
このため、映像表示装置１によると、ユーザまでの距離が第１閾値よりも大きい場合に、映像を表示する際の消費電力が低減される。
【００８６】
一方で、人間が画像を視聴する場合に、視聴対象の画像までの距離が遠くなるにつれ、その画像の画質を認識する分解能は低下していく。
【００８７】
このため、第１閾値を適切な距離に設定することで、第１閾値よりも離れた位置のユーザに対して、ダウンスケーラ２０によって画素が間引かれる場合における、表示部６０により表示される画像と、画素が間引かれない場合における、表示部６０により表示される画像の画質の差を認識できなくすることが可能である。
【００８８】
従って、映像表示装置１によると、第１閾値を適切な距離に設定することで、ユーザに対して画質の変化を認識させることなく、映像を表示する際の消費電力を低減させることができるようになる。
【００８９】
さらに、映像表示装置１は、ユーザまでの距離が第２閾値よりも小さい場合に、輝度制御部５０は、スケーリング画像の輝度を低下させて、表示部６０が表示する輝度調整画像を生成する。
【００９０】
従って、映像表示装置１によると、ユーザまでの距離が第２閾値よりも小さい場合に、映像を表示する際の消費電力を低減させることができるようになる。
【００９１】
（他の実施の形態）
以上のように、本出願において開示する技術の例示として、実施の形態について説明した。しかしながら、本開示における技術は、これらに限定されず、適宜、変更、置き換え、負荷、省略等を行った実施の形態にも適用可能である。
【００９２】
（１）実施の形態において、ダウンスケーラ２０は、図２に例示されるように、センサ１０によって検出される距離が、（ａ）第１閾値より大きい場合（ｃａｓｅ１）と、（ｂ）第１閾値以下の場合（ｃａｓｅ２）との２段階で、間引き量を変更してダウンスケーリング画像を生成する構成であるとして説明した。しかしながら、ダウンスケーラ２０は、必ずしも、上記構成の例に限定される必要はない。
【００９３】
例えば、ダウンスケーラ２０は、センサ１０によって検出される距離と複数の閾値との関係に応じて、３段階以上で、間引き量を変更してダウンスケールリング画像を生成する構成であってもよいし、センサ１０によって検出される距離に応じて間引き量をシームレスに変更する構成であっても構わない。
【００９４】
図５は、ダウンスケーラ２０が、センサ１０によって検出された距離が、（ａ）第１閾値（３ｍ）以下の場合（ｃａｓｅ１）と、（ｂ）第１閾値より大きくて第３閾値（６ｍ）以下の場合（ｃａｓｅ２）と、（ｃ）第３閾値より大きい場合（ｃａｓｅ３）とによって、それぞれ、間引き量を変更してダウンスケーリング画像を生成する構成である場合における、センサ１０によって検出された距離と、ダウンスケーラ２０による間引き量との関係の一例を示す図である。
【００９５】
同図に示されるように、この構成の例では、ダウンスケーラ２０は、（ａ）ｃａｓｅ１の場合には、入力画像に対し間引きを行わずに、そのままダウンスケーリング画像として出力し、（ｂ）ｃａｓｅ２の場合には、入力画像に対して、縦方向の画素数が１／２、横方向の画素数が１／２となるように画素の間引きを行って、画素数が１／４となるダウンスケーリング画像を生成し、（ｃ）ｃａｓｅ３の場合には、入力画像に対して、縦方向の画素数が１／４、横方向の画素数が１／４となるように画素の間引きを行って、画素数が１／１６となるダウンスケーリング画像を生成する。
【００９６】
（２）実施の形態において、映像表示装置１は、ＩＰ変換処理、ノイズ除去処理等といった、処理対象とする画像をメモリに書き込む処理を含む第１処理を行う第１処理部３０を含んで構成されるとして説明した。これに対して、映像表示装置１は、上記第１処理を行わない構成であっても構わない。このような構成の場合には、映像表示装置１は、第１処理部３０を含まずに構成される。そして、スケーラ４０が行うスケーリングの対象とする画像は、例えば、ダウンスケーラ２０によって生成されたダウンスケーリング画像となる。
【００９７】
（３）実施の形態において、センサ１０は、例えば、赤外線ＴＯＦ方式による測距センサによって実現されるとして説明した。しかしながら、センサ１０は、映像表示装置１を利用するユーザ（人物）までの距離を検出することができれば、必ずしも上記構成の例に限定される必要はない。
【００９８】
例えば、センサ１０は、画像処理を行うことで距離を算出する複眼のカメラモジュールによって実現されるとしても構わない。
【００９９】
（４）映像表示装置１における各構成要素（機能ブロック）は、ＩＣ（Integrated Circuit）、ＬＳＩ（Large Scale Integration）等の半導体装置により個別に１チップ化されてもよいし、一部又は全部を含むように１チップ化されてもよい。また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。更には、半導体技術の進歩又は派生する別技術によりＬＳＩに置き換わる集積回路化の技術が登場すれば、その技術を用いて機能ブロックの集積化を行ってもよい。バイオ技術の適用等が可能性としてあり得る。
【０１００】
また、上記各種処理の全部又は一部は、電子回路等のハードウェアにより実現されても、ソフトウェアを用いて実現されてもよい。なお、ソフトウェアによる処理は、映像表示装置１に含まれるプロセッサがメモリに記憶されたプログラムを実行することにより実現されるものである。また、そのプログラムを記録媒体に記録して頒布や流通させてもよい。例えば、頒布されたプログラムを、他のプロセッサを有する装置にインストールして、そのプログラムをそのプロセッサに実行させることで、その装置に、上記各処理を行わせることが可能となる。
【０１０１】
また、上述した実施の形態で示した構成要素及び機能を任意に組み合わせることで実現される形態も本開示の範囲に含まれる。
【産業上の利用可能性】
【０１０２】
本開示は、映像を表示する映像表示装置に広く利用可能である。
【符号の説明】
【０１０３】
１  映像表示装置
１０  センサ
２０  ダウンスケーラ
３０  第１処理部
４０  スケーラ
５０  輝度制御部
６０  表示部
【図１】
2018156049.tif 000003
【図２】
2018156049.tif 000004
【図３】
2018156049.tif 000005
【図４】
2018156049.tif 000006
【図５】
2018156049.tif 000007